(57)【要約】  少なくとも一つの予備の刃のカートリッジ31を格納するためのカートリッジ格納部4と、リフレッシュ・ローション若しくはクリーニング・ローション、又はシェービング・フォームのようなシェービング液を格納するための容器2と、を有するシェービング・キット1がある。前記容器は、連続して数回のシェービングに充分な量のシェービング液を有する。少なくとも一回のシェービングの後、かみそり器3は、シェービング液をかみそり器へと移送するために前記容器と連結される。シェービング液をかみそり器へと移送することによって、容器内のシェービング液の量が減少する。容器は、刃のカートリッジの望ましい交換時期を示すための交換インジケータ22を有する。交換インジケータは、容器から移送されたシェービング液の量に応じて作動する。
2013512749.tif 000002
【特許請求の範囲】
【請求項１】
交換可能な刃のカートリッジを有するかみそり器を含む湿式のシェービング・システム用のシェービング・キットであって、当該シェービング・キットは、
少なくとも一つの予備の刃のカートリッジを含むカートリッジ格納部と、
容器であって、シェービング液を格納し、当該容器から前記かみそり器へ該シェービング液を送るための容器と、
前記交換可能な刃のカートリッジの望ましい交換時期を示すための交換インジケータと、
を有し、前記交換インジケータは、前記容器から送られたシェービング液の量に応じて作動する、シェービング・キット。
【請求項２】
前記交換インジケータは、前記容器内にあるシェービング液の残量を計量するための測定部と、前記交換可能な刃のカートリッジの望ましい交換を促すための、前記測定部と協働するトリガ部と、を有する、請求項１に記載のシェービング・キット。
【請求項３】
前記交換インジケータの前記トリガ部が、少なくとも一つの発光ダイオード（LED）を有する、請求項２に記載のシェービング・キット。
【請求項４】
前記測定部は、前記容器内にあるシェービング液の残量を視覚的に示すための液量レベル窓を有し、前記トリガ部は、前記交換可能な刃のカートリッジの望ましい交換を促すために、送られたシェービング液の予め定められた量に対応する少なくとも一つのトリガ・マークを含む、請求項２に記載のシェービング・キット。
【請求項５】
前記容器が底部及び側壁を有し、前記カートリッジ格納部が前記容器の側壁の近傍に配置され、前記トリガ・マークが前記容器の側壁の前記カートリッジ格納部にある前記予備の刃のカートリッジの前記底部に対する高さと一致する高さに、位置している、請求項４に記載のシェービング・キット。
【請求項６】
前記カートリッジ格納部が前記容器に接続されており、前記交換インジケータが、少なくとも一つの前記予備の刃のカートリッジを前記カートリッジ格納部からリリースするためのリリースメカニズムを有する、請求項１に記載のシェービング・キット。
【請求項７】
前記リリースメカニズムが、前記容器内にあるフロートによって動かされる、請求項６に記載のシェービング・キット。
【請求項８】
前記フロートが、少なくとも前記容器の内壁に沿って延在していて、当該容器の外壁部分で前記カートリッジ格納部と結合された結合部材に、接続されている、請求項７に記載のシェービング・キット。
【請求項９】
前記結合部材が、前記カートリッジ格納部と磁気的に結合されている、請求項８に記載のシェービング・キット。
【請求項１０】
前記結合部材が、前記カートリッジ格納部と機械的に結合されている、請求項８に記載のシェービング・キット。
【請求項１１】
前記結合部材が、前記予備の刃のカートリッジを前記カートリッジ格納部からリリースするためのスナップ式のメカニズムを作動させる、請求項８に記載のシェービング・キット。
【請求項１２】
前記容器が、前記かみそり器を当該容器と流体連結において接続するための流体カップリングを有することを特徴とする、請求項１に記載のシェービング・キット。
【請求項１３】
前記容器が、当該容器から前記流体カップリングへとシェービング液を送るための電動ポンプを有する、請求項１２に記載のシェービング・キット。
【請求項１４】
前記容器が、当該容器から送られるシェービング液の量を計側するための測定部を有し、当該測定部が前記交換インジケータと協働する、請求項１３に記載のシェービング・キット。
【請求項１５】
ハンドルと、交換可能な刃のカートリッジを選択的に接続するためのヘッド部と、を備えたかみそり器を更に有し、前記交換可能な刃のカートリッジが少なくとも一つの毛髪を切る刃を含む刃のハウジングを有する、請求項１乃至１４の何れか一項に記載のシェービング・キットを有するシェービング・システム。
【発明の詳細な説明】
【技術分野】
【０００１】
本発明は、交換可能な刃のカートリッジの刃を用いたかみそり器、いわゆるかみそり器を含む湿式のシェービング・システム用のシェービング・キットに関し、当該シェービング・キットは少なくとも一つの予備の刃のカートリッジを含むカートリッジ格納部を有し、更にシェービング液を格納し、かみそり器へとシェービング液を移送するための容器を有する。
【０００２】
本発明は更に、前述のようなシェービング・キットを有し、交換可能な刃のカートリッジを備えたかみそり器を更に有するシェービング・システムに関する。
【背景技術】
【０００３】
かみそり器と、シェービング液用の容器と、カートリッジ格納部とを有するシェービング・キットが知られている。かみそり器は、グリップを含むハンドルと、刃のカートリッジをハンドルに取り付けるヘッド部とを備えている。刃のカートリッジは、複数枚の刃と、潤滑用の帯とを有する刃の格納部を備えている。かみそり器のハンドルは、一定量のシェービング液用の格納部を有する。刃のカートリッジが取り付けられたあと、シェービング液が液体格納部から潤滑用の帯へと流れることができるよう、液体格納部は潤滑用の帯と流体連通している。したがって、使用の際に潤滑用の帯（潤滑帯）がシェービング液によって湿らされる。シェービング液は、例えばリフレッシュ・ローション又はクリーニング・ローションのようなシェービング用の添加剤である。
【０００４】
刃のカートリッジは摩耗及び汚濁に弱く、数回のシェービングの後に交換されなければならない。刃が鈍くなるか又は潤滑帯が硬化する。刃のカートリッジが適時交換されないと、シェービング・プロセスのクオリティが悪化する。刃のカートリッジの時宜を得た交換を保証するために、シェービング・キットは、変色する潤滑帯を備えている。潤滑帯の色は数回のシェービングの後に変色して、これがユーザに刃のカートリッジを交換するよう促す。
【発明の開示】
【発明が解決しようとする課題】
【０００５】
ユーザに交換を促すこの態様の欠点は、しばしば不正確であるということである。潤滑帯は、例えば単に時間の経過によって変色することがあり、これは、潤滑帯の硬化又は刃の摩耗を表してはいないかも知れない。したがって、交換のためのトリガは、頻繁に使われたシェービング・キットと、より頻繁ではなく使用されたシェービング・キットとの間の差を反映しない。特に、シェービング・キットがトラベル・キットとして使われる場合、変色した潤滑帯は満足できるものではない。シェービング・キットが旅行の間はトラベル・キットとして毎日使われるが、しかし一旦帰宅すると、シェービング・キットは使われないままとなる。帰宅してしばらくしたあと、時間に応じて交換時期のトリガとして働く潤滑帯が、間違って交換を促すかも知れない。旅行の間、刃のカートリッジは数回使われたが、在宅中は最早使われることはなかった。刃の状態及び潤滑帯の状態は、満足なシェービング結果を得るのに技術的には依然として十分である。このように、時間依存するトリガは時期尚早の交換を結果としてまねくかもしれず、これは、消費者に新規な刃のカートリッジのための不必要な経費をもたらす。加えて、刃のカートリッジの時期尚早の交換は環境に優しくない。
【課題を解決するための手段】
【０００６】
少なくとも部分的に上記の欠点を取り除き、及び/又は使用可能な代替物を備えたシェービング・キットを提供することが望まれよう。特に、使用済みの刃のカートリッジの交換を促すために、より正確なインジケータを有するシェービング・キットを提供することが望ましい。
【０００７】
本発明によれば、この目的が請求項１に記載の湿式のシェービング・システム用のシェービング・キットを用いて達成される。シェービング・キットは、例えばリフレッシュ用のシェービング液を備えた容器を含むリフレッシュメント・キットでもよい。シェービング・キットは、刃のカミソリと、交換可能な刃のカートリッジとを含むシェービング・システムに適している。
【０００８】
本発明によるシェービング・キットは、少なくとも一つの予備の刃のカートリッジを格納するためのカートリッジ格納部と、リフレッシュ・ローション若しくはクリーニング・ローションなどの液体、又はシェービング・フォームを格納するための容器と、を有する。刃のカートリッジは、少なくとも一枚の刃を含む刃のハウジングを備えている。シェービング動作の際、刃のカートリッジはユーザの手によって交換可能である。刃のカートリッジは使い捨てでもよい。
【０００９】
カートリッジ格納部は、少なくとも一つの刃のカートリッジを予備の刃のカートリッジとして有する。使われている刃のカートリッジが劣化したとき、例えば刃が鈍くなるか、又は硬化したシェービング液が刃のカートリッジに混入したときに、予備の刃のカートリッジがかみそり器に取り付けられる。
【００１０】
更に、シェービング・キットは、シェービング液を格納するための容器を有する。特に、容器は詰め替え容器である。当該容器は、連続して数回のシェービングに対して十分な量のシェービング液を有する。少なくとも一回のシェービングの後、かみそり器が、シェービング液を同かみそり器へと移送するために容器に連結される。複数回の補充動作が可能である。かみそり器は、例えば毛管現象を利用して充填されることができ、シェービング液は、かみそり器の細管チャネルによって容器からかみそり器へと吸い上げられる。かみそり器が、例えばスポンジによって吸い込むことにより充填されてもよい。代替的には、容器は、シェービング液をかみそり器へと移送するよう使用可能な流体カップリングを備えていてもよい。かみそり器は、流体カップリングによって容器と流体連通して接続される。容器の側壁を押圧することによって、又はポンプを作動させることによって、シェービング液がかみそり器へと移送できる。シェービング液をかみそり器へと移送することによって、容器内のシェービング液の量は減少する。
【００１１】
シェービング・キットは更に、交換可能な刃のカートリッジの望ましい交換時期を示すための交換インジケータを有する。当該交換インジケータは、容器から移送されたシェービング液の量に応じて作動する。交換インジケータは、容器中のシェービング液の残量を計測するための測定部材と、交換可能な刃のカートリッジの望ましい交換を促すための、前記測定部材と協働するトリガ部材と、を有する。測定部材は、例えばシェービング液の液面高さを測定することによって容器中のシェービング液の残量を直接計量する部材である。測定部材は例えばフロートでもよく、又は液面高さを、例えば容量性のセンサで測定するための電子センサでもよい。代替的には測定部材は、補充動作の間に移送されたシェービング液の体積を計量することによって、残量を間接的に測定してもよい。
【００１２】
都合のよいことに、容器から移送されたシェービング液の量が、刃の摩耗又は刃の汚濁の正確な徴候を提供できる。概して、刃のカートリッジの寿命はシェービング回数に強く関連する。刃は、例えば一連のシェービング回数の後に鈍くなる。移送されたシェービング液の量がシェービングの回数を正確に表すことができる。このように、移送されたシェービング液の量に基づく交換インジケータは、使用済みの刃のカートリッジの交換に関する正確なトリガを提供できる。使用済みの刃のカートリッジを適時交換することによって、ユーザは良好なかみそりを享受できる。加えて、本発明による交換インジケータは、刃のカートリッジの時期尚早な交換を防止する。これによって、刃のカートリッジを無駄にすることなく、シェービング・プロセスが最適な状態を継続して実行される。
【００１３】
本発明によるシェービング・キットの実施例において、交換インジケータは、トリガ部材としてLED（発光ダイオード）又はLEDのアレイを有する。LEDの数は、カートリッジ格納部にある予備の刃のカートリッジの利用可能な数と一致する。少なくとも一つのLEDが容器の側壁に置かれる。LEDのアレイは、垂直に配置された予備の刃のカートリッジと一致する垂直方向に延在する。豪華な仕様の容器では、同容器が、トリガ部材として電子表示装置、例えば液晶ディスプレイを有してもよい。LED又は表示装置が、刃のカートリッジの交換を必要とするかどうかを前記測定部材によって指し示す。
【００１４】
本発明によるシェービング・キットの一実施例において、交換インジケータは、容器中のシェービング液の残量を視覚的に示すための測定部材として、液面の高さを示す窓を有する。交換インジケータは更に、トリガ部材としてトリガ・マークを有し、同マークは、刃のカートリッジの望ましい交換を促すための、移送されたシェービング液の予め規定された量と一致する。トリガ・マークは、例えばシェービング液の液面高さを示す窓の脇に配置された番号をつけられた目盛でもよい。このように、好都合にも、交換インジケータは単純で便利な構成を有する。ユーザは交換の必要性を迅速に認識できる。特定の実施例では、交換インジケータは更に、ユーザにトリガ・マークの意味を、シェービング液面の高さを示す窓と関連付けて説明するテキストを備えたラベルを有する。
【００１５】
本発明によるシェービング・キットの一実施例において、カートリッジ格納部は容器の側壁に置かれる。カートリッジ格納部が容器に都合よく接続されている。着脱可能な代わりに、カートリッジ格納部が容器に固定されていてもよい。カートリッジ格納部が容器と一体化されていてもよい。カートリッジ格納部が、例えばブロア成形によって容器と一体化されていてもよい。
【００１６】
本発明によるシェービング・キットの一実施例において、容器は底部材と側壁とを有し、カートリッジ格納部が容器の側壁に配置される。トリガ・マークは、底部材に対して予備の刃のカートリッジが在る高さと一致する高さにて、容器の側壁に位置している。他の実施例では、複数のトリガ・マークが複数の予備の刃のカートリッジと一致する高さに位置している。使用の際、シェービング液の液面高さは、補充動作の度毎に減少する。トリガ・マークが予備の刃のカートリッジと同じ高さに位置していて、好ましくは予備の刃のカートリッジの近くに位置している場合、トリガ・マークは、望ましい予備の刃のカートリッジの交換の明白な徴候をユーザに都合よく与えることができる。好ましくは、トリガ・マークは測定部材、例えばシェービング液の液面高さを示す窓と、カートリッジ格納部との間に位置している。これによって、ユーザは一瞥で見ることができ、刃のカートリッジの交換が望まれ、加えて、予備の刃のカートリッジを取り出さねばならないことを直接理解する。
【００１７】
本発明によるシェービング・キットの一実施例では、カートリッジ格納部は容器に接続しており、交換インジケータは、少なくとも一つの刃のカートリッジをカートリッジ格納部から取り出すための解放メカニズムを有する。この解放メカニズムが、ユーザに対する注意喚起を改善する。当該解放メカニズムは、カートリッジ格納部に刃のカートリッジを係止して保持することによって、刃のカートリッジの時期尚早な交換を防止できる。刃のカートリッジの係止を外すことが、ユーザが刃のカートリッジを交換することを促す。解放メカニズムが、上述のシェービング液の液面高さを示す窓と組み合わせて使われてもよいが、しかし交換インジケータとして単独で機能してもよい。予備の刃のカートリッジが容易に取り出せる位置にあるときに、ユーザは、例えば解放の瞬間のクリック音によって注意喚起されてもよいし、又はユーザは、刃のカートリッジを交換するよう促されてもよい。容易に取り出せる位置では、刃のカートリッジが例えばカートリッジ格納部から傾けられてもよい。
【００１８】
本発明によるシェービング・キットの一実施例では、交換インジケータは、容器内部にフロートを有する。解放メカニズムがフロートによって駆動されてもよい。フロートはシェービング液の自由表面に置かれる。シェービング液が容器から移送されたときに、フロートは容器内を下がることであろう。これは、シェービング液の液面高さを低下させる。フロートがシェービング液の液面高さを示す窓から見えてもよく、これは容器内のシェービング液の残量の明白な表示を与える。特定の実施例では、フロートはユーザの注意を惹く目立つ色をもつ。シェービング液の液面高さが予め規定された移送量と一致した場合、当該高さはトリガ・マークのうちの一つと一致し、これは刃のカートリッジを交換するようユーザに明白な信号を与える。
【００１９】
本発明によるシェービング・キットの一実施例では、解放メカニズムは結合部材を有する。当該結合部材は、フロートをカートリッジ格納部へと接続する。結合部材は少なくとも容器の内側の壁部分に沿って延在する。結合部材は、容器の外側の壁部分でカートリッジ格納部と連結する。結合部材は、例えば柔軟な帯である。
【００２０】
本発明によるシェービング・キットの一実施例では、結合部材はカートリッジ格納部と磁気的に連結する。結合部材は帯である。帯は柔軟な先端部をもっており、この柔軟な先端部が容器の底面と接触した場合、同先端部が変形する。結合部材は少なくとも部分的に磁気をもつ。この結果、結合部材は、磁気力によって刃のカートリッジを容器の側壁に保持する。シェービング液の液面高さが低下すると、結合部材と共にフロートの位置も低下して、これが、少なくとも一つの刃のカートリッジからの磁気保持力を失わせてしまうだろう。この結果、刃のカートリッジが容器の側壁に最早保持されることはなく、取り出すのが容易な位置へと解放される。予備の刃のカートリッジが、かみそり器にある使用済みの刃のカートリッジを交換するために、ユーザによって取り出される。
【００２１】
本発明の一実施例では、結合部材はカートリッジ格納部と機械的に連結する。幾つかの予備のカートリッジが、スナップ式のメカニズムによってカートリッジ格納部に係止される。結合部材が、刃のカートリッジをカートリッジ格納部から解放するために、スナップ式のメカニズムを動かす。スナップ式のメカニズムが、結合部材を動かすことにより作動される。結合部材が下に動くと、スナップ式のメカニズムは係止が外れることになる。スナップ式のメカニズムが容器の柔軟な側壁部分に一体化されており、結合エレメントが、刃のカートリッジを解放するために、この柔軟な側壁部分に変形を与える。代替的には、スナップ式のメカニズムをカートリッジ格納部から解放するために、結合部材が側壁部を通して延在してもよい。
【００２２】
本発明によるシェービング・キットの一実施例では、かみそり器を容器に接続するため、及び容器からかみそり器へとシェービング液を移送するために、容器は流体カップリングを有する。好都合にも、流体カップリングの存在が、容器への容易な流体接続をかみそり器に提供できる。流体カップリングは好都合にも液漏れを防止する。
【００２３】
本発明によるシェービング・キットの一実施例において、容器の流体カップリングは、シェービング液を移送するための電動ポンプを有する。当該ポンプは、測定部材及びトリガ部材を更に備えている電子回路に電気的に接続される。測定部材は、移送されたシェービング液の量を測定する。予め規定された閾値に達した場合、信号がトリガ部材、例えばLEDによって生成される。ユーザは、使用済みの刃のカートリッジを交換するよう要請したトリガ部材によって通知される。
【００２４】
本発明によるシェービング・キットの一実施例では、容器は、かみそり器を容器へと選択的に接続するためのクランプを有する。好都合にも、容器は更にかみそり器用のホルダとして機能する。特定の実施例では、カートリッジ格納部が、容器へと選択的に接続可能でもよい。これによって、シェービング・キットは、十分にトラベル・キットとして構成されることができる。コンパクトなトラベル・キットが洗面バッグ中で大きな容積を取らないように、トラベル・キットは好都合にも必要な大きさにされる。
【００２５】
更なる好ましい実施例が、従属請求項において規定されている。
【００２６】
更に本発明は、請求項１５に記載のシェービング・システムに関する。
【００２７】
本発明によるシェービング・システムは、かみそり器と共に容器と、カートリッジ格納部と、交換インジケータと、を有する本発明によるシェービング・キットを有する。かみそり器は、同かみそり器を握持するためのハンドルと、交換可能な刃のカートリッジを選択的に接続するためのヘッド部と、を有する。シェービング・システムは更に、かみそり器に選択的に接続可能な刃のカートリッジを含む。この結果、商業的に人の関心を引く完全なシェービング・キットが提供される。全てを含むシェービング・システムは、湿式のシェービング・プロセスでの必需品を好都合にも全て提供できる。したがって、本シェービング・システムは旅行用シェービング・キットとして適切である。本発明によるシェービング・キットの一実施例では、かみそり器はシェービング液を格納するための区画を有しており、シェービングの間、シェービング液は排出可能である。少なくとも一回のシェービングの後、かみそり器内の区画にシェービング液を補充するために、かみそり器は容器へと連結できる。ユーザによる補充の度に、容器内のシェービング液の量は更に減じる。少なくとも一回の補充の後、容器から移送されたシェービング液の量が予め規定された量に達し、これが、使用済みの刃のカートリッジを交換するようユーザを促すことであろう。
【００２８】
更なる好ましい実施例が、従属請求項において規定されている。
【００２９】
本発明のこれらの態様及び他の態様が、以下の詳細な説明を参照してよりよく理解されるのと同時に、添付の図面と関連させて考察することにより、より容易に理解されることだろう。ここで、同じ参照符号は同じパーツを表している。図面は、本発明による実際的な実施例を示している。
【図面の簡単な説明】
【００３０】
【図１】本発明によるシェービング・システムの実施例を斜視図にて示す。
【図２】本発明によるシェービング・キットの解放メカニズムを断面図にて示す。
【図３】解放メカニズムの代替実施例を断面図にて示す。
【発明を実施するための形態】
【００３１】
必要とされる本発明の詳細な実施例が、本願明細書において開示されている。しかしながら、開示された実施例は本発明の単なる典型例であることを理解すべきであり、これらは様々な形態で実施されることができる。これ故、本願明細書において開示される特定の構造及び機能の詳細は限定するものとして解釈されるのではなく、単に請求の基盤として、及び実質的にあらゆる適切に詳述された体系にて、当業者に本発明を様々に使用することを教示するための代表的な基盤として解釈される。更に、本願明細書において使用されている用語及び表現は限定することを目的としているのではなく、むしろ本発明を理解するための説明を提供している。
【００３２】
特定の特徴が、示された実施例とは別のものとして考慮されてもよく、特定の特徴が、示された実施例に対するものではなく、請求項の範囲内に含まれる全ての実施例に対する共通の特徴として、明確に記述された特徴として、より幅広い前後関係において考察されることができる。
【００３３】
本願明細書で用いられている用語「a」又は「an」は、一つ又は一つ以上として規定されている。本願明細書で用いられている「複数」を表す用語は、二つ又は二つ以上として規定されている。本願明細書で用いられている「別のもの」を表す用語は、少なくとも二つ以上として規定されている。本願明細書で用いられている「含む」及び/又は「もつ」という用語は、有するとして規定されている（即ち、他のエレメント又はステップを除くことはない、オープンな言語である）。
【００３４】
図1は、本発明によるシェービング・システム1を表している。シェービング・システム1は、かみそり器3と、容器2と、カートリッジ格納部4と、を有する。かみそり器3及びカートリッジ格納部4は、容器2の側壁に接続している。
【００３５】
かみそり器3は、グリップ部、底の部分、及び刃のカートリッジ31を選択的に接続するためのヘッド部からなるハンドルを有する。ヘッド部はフォークの形をしている。交換可能な刃のカートリッジ31は、ヘッド部にスナップ式に連結される。斯様な刃のカートリッジ31は普通に知られており、少なくとも一枚の刃を有する刃のハウジングを通常備えている。複数の刃が並んで配置され、鋭くされた刃先をもっている。刃のカートリッジ31は更に、シェービング液によって湿らされた潤滑帯を有する。
【００３６】
かみそり器3は、シェービング液、例えば消毒薬又はシェービング・フォームなどのシェービング添加剤を充填できる内部空間を有する。かみそり器3の内部空間は、シェービング液用のすぐに使える貯留容積部として役立つ。内部空間にあるシェービング液は、シェービング液を最終的に潤滑帯又は刃先へと移送するために刃のカートリッジ31の潤滑帯と流体連通している。したがって、皮膚が潤滑帯によって湿らされる。
【００３７】
シェービング・キット1の容器2は、シェービング液を格納し、かみそり器3の内部空間に補充するよう構成される。容器2は、流体カップリング21を含む蓋によって閉じられる。かみそり器3は、内部空間を充填するために、流体カップリング21を用いて容器と接続できる。例えばハンドルの底の部分が流体カップリング21と接続する。図示された流体カップリング21は電動ポンプを有する。流体カップリング21は、容器2からシェービング液を吸引するための入口と、容器2から前記シェービング液を排出するための出口と、をもっている。
【００３８】
かみそり器3が、シェービングのために容器2から取り出される。数回のシェービングの後、シェービング液を収納する内部空間は空になる。ユーザは、かみそり器3の内部空間を充填するために、かみそり器3を容器2へと連結する。かみそり器3のハンドルが流体カップリング21へと連結され、容器2へのかみそり器3の係合が、流体カップリング21にあるポンプを作動させる。この後、シェービング液がかみそり器3の内部空間にポンプ圧送される。
【００３９】
図1は更に、底部材と周側壁とを有する容器2を示しており、容器2は、使用済みの刃のカートリッジ31の望ましい交換時期を示すための交換インジケータ22を有する。容器2は通常、水平基準を規定している平坦な底部材を下にした姿勢をとる。図示された実施例では、交換インジケータ22は、容器中のシェービング液の残量を視覚的に示すための液面高さを示す窓221を有する。液面の高さを示す窓221は、容器2の底部材から上の方向へと延伸する細長く透明な側壁の一部である。容器が自身の通常の、即ち底部材を下にした姿勢にある場合、液面の高さを示す窓221は垂直方向に延在する。液面の高さを示す窓221の脇には、四つのトリガ・マーク222が設けられている。トリガ・マークは、数字1、同2、同3、及び同4を与えられている。このトリガ・マークの数字が、カートリッジ格納部4にある予備の刃のカートリッジの数と一致している。トリガ・マーク222は、予備の刃のカートリッジと同じ高さで容器の側壁に位置している。
【００４０】
かみそり器3が充填されると、容器2の内部に残留するシェービング液の量は減少する。残ったシェービング液の量は、液面の高さを示す窓221を見せることによってユーザに通知できる。液面の高さを示す窓221の脇にあるトリガ・マーク222が、かみそり器3に取り付けられて使用された刃のカートリッジ31の交換が望ましいとの事実をユーザに注意喚起する。このように、容器2中のシェービング液の減じた量が、刃先の摩耗の量又は潤滑帯の汚濁の量の指標となる。トリガ・マークによって注意喚起されて、ユーザは刃のカートリッジ31を交換することだろうし、これは、ユーザが質が落ち且つ劣化した刃のカートリッジで髭を剃ることを防止するであろう。ユーザは、鈍い刃先でのかみそり、又は摺り減った若しくは過剰に汚濁した潤滑帯と共に髭を剃ることが避けられる。刃のカートリッジが適時交換された場合は、高品質のシェービング・プロセスが保証される。このように本発明によれば、シェービング・プロセスが更に最適化される。
【００４１】
図1に示すように、カートリッジ格納部4は容器2内に一体化されている。カートリッジ格納部4が容器2の横の部分に設けられている。必要に応じて接続可能なかみそり器3と、カートリッジ格納部4を備えた一体化された容器2とが一緒になって、トラベル・キットとして理想的に使用できるスマートなシェービング・キット1を規定している。
【００４２】
図2及び図3は、異なる解放メカニズム23の実施例を示す。両方の図に示される構成において、解放メカニズム23が容器2内に配置されている。容器2は、液面高さを示す窓221を含む交換インジケータ22をもっている。液面の高さがフロート231によって示される。フロートは、容器2内にあるシェービング液の容量部の自由表面に浮いている。容器2が空になってくると、フロート231は容器2内で下がる。フロート231の他に、解放メカニズム23は更に帯232を有する。帯232は、容器2の内壁部分に沿って延在する結合部材である。帯232はフロート231に接続している。フロートが下がると、帯はフロートと共に移動する。結合部材232は、容器2の外側にある少なくとも一つの刃のカートリッジ41と連結している。図2において結合部材232は、少なくとも一つの外側にある刃のカートリッジ41（図示せず）と機械的に連結している。フロートが容器2内で下がると刃のカートリッジを解放するよう、スナップ式のメカニズムが提供されている。
【００４３】
図3では結合部材232は、外側にある少なくとも一つの刃のカートリッジ41と磁気的に連結している。結合部材232は、容器2の外側にある隣接する刃のカートリッジへ保持力を提供する磁気の帯を有する。磁気の帯がフロート231と共に下に移動すると、これにしたがって外側に位置する刃のカートリッジが容器2から解放される。これによってユーザは、かみそり器3の刃のカートリッジの交換が必要とのユーザへの明白な注意喚起の通知をうける。
【００４４】
本発明が特定の実施例を参照して開示されてきたものの、本明細書を読むことにより当業者は、技術的な観点からは可能で、しかし上で説明され、これ以降に請求されている本発明の範囲から逸脱することのない変更及び改変が可能であると理解する。
【００４５】
多数の異なる実施例が、図示した実施例に加えて考えられる。例えば容器の代替実施例で、電動ポンプではなく、代わりに人の手で作動されるポンプを有する流体カップリングが提供されてもよい。この場合、ユーザは容器の柔軟な側壁を押圧することによって、シェービング液が容器からかみそり器の内部空間へと流れるよう容器を人の手で加圧できる。代替の実施例ではかみそり器は、補充可能なシェービング液を一時的に格納するための内部空間又は内部区画の代わりに、外側にある外部空間をもってもよい。代替的には、シェービング液をかみそり器の刃のカートリッジへと移送するために、かみそり器の刃が容器のパッド中に浸漬されてもよい。
【００４６】
ゆえに本発明が上記の詳細な説明において開示された特定の実施例に限定されることはなく、しかし本発明は、添付の請求項の範囲に含まれる全ての実施例を含むであろうことが意図されている。請求項中のいかなる参照符号も、同請求項の範囲又は本発明の範囲を限定するものとして解釈されてはならない。特定の手段が相互に異なる従属請求項において再引用されているという単なる事実は、これらの手段の組合せが有効に使われることができないことを示してはいない。
【００４７】
以上のように、本発明は、交換インジケータを備えた容器を含むシェービング・キットを提供する。好都合にもシェービング・プロセスが、このシェービング・キットを用いることによって最適化される。シェービング・キットの交換インジケータが、刃のカートリッジを適時交換するようユーザに促すことができる。この結果ユーザは、磨耗した刃のカートリッジで髭を剃るのを避けることができる。
【図１】
2013512749.tif 000003
【図２】
2013512749.tif 000004
【図３】
2013512749.tif 000005
【国際調査報告】
2013512749.tif 000006
2013512749.tif 000007
2013512749.tif 000008